(57)【要約】      （修正有）【課題】通常時には便器や道具を袋に入れてマンホール内につり下げ保管し、災害時には、袋を取り出し、袋の中の便器を蓋本体の用便用開口を覆って載置し、使用することを可能とする。用便の姿を隠すために覆い体を設ける。災害時停電のときでもマンホールの所在を発光体で知らせる。【解決手段】蓋本体１２の中央部に用便用開口を設け、中蓋で開閉する。中蓋を取り除き、用便用開口を覆って排便用貫通孔を有する便器２５を載置する。折り畳み可能の覆い体を３６分解可能な枠組で支持する。通常時には、便器、折り畳んだ覆い体、分解した枠組の部材等を袋に収納してマンホールの枠内につり下げ、災害時には袋を取りだし、袋内の物を使用する。中蓋の表面に凹部を設け、に発光体を充填接着して、暗闇でもマンホールの所在を知らせる。【選択図】図１１
2008223450.tif 000002
【特許請求の範囲】
【請求項１】
中央部に用便用開口を設け、その開口を中蓋で着脱自在に閉じてなる、マンホールの枠に着脱自在に取り付けてなる蓋本体と、
上下に排便用の貫通孔を有し、上縁に便座を取り付け、前記便座と貫通孔の上方開口を覆う蓋を回動自在に取り付けてなり、災害時に、前記中蓋を取り外し、前記用便用開口を覆って前記蓋本体に載置し着脱自在に固定してなる便器と、
前記蓋本体に載置した便器を覆い、分解可能な枠組で支持され、人が出入りでき、折り畳み可能な覆い体と、
前記便器、前記折り畳んだ覆い体、前記分解した枠組の部材、前記蓋本体や中蓋の取り付け・取り外しの道具、用便用の物品を収納し、前記マンホールの枠の開口内縁に設けた突片に係止してつり下げ可能な袋と、
よりなる、災害用便器付きマンホール。
【請求項２】
中央部に用便用開口を設け、その開口を中蓋で着脱自在に閉じてなる、マンホールの枠に着脱自在に取り付けてなる蓋本体と、
上下に排便用の貫通孔を有し、上縁に便座を取り付け、前記便座と貫通孔の上方開口を覆う蓋を回動自在に取り付けてなり、災害時に、前記中蓋を取り外し、前記蓋本体に設けた取り付け座に載置して前記用便用開口を覆って着脱自在に固定してなる便器と、
前記蓋本体に載置した便器を覆い、分解可能な枠組で支持され、人が出入りでき、折り畳み可能な覆い体と、
前記便器、前記折り畳んだ覆い体、前記分解した枠組の部材、前記蓋本体や中蓋の取り付け・取り外しの道具、用便用の物品を収納し、前記マンホールの枠の開口内縁に設けた突片に係止してつり下げ可能な袋と、
よりなる、災害用便器付きマンホール。
【請求項３】
分解可能な枠組は、管体または棒体により、４角に形成された外枠と、その外枠の対向する２辺の管体または棒体に直角に、かつ、平行に設けた管体または棒体よりなる中間横桟に、直角に、かつ、平行に設けた管体または棒体よりなる中間縦桟を設けてなり、蓋本体に設けた取り付け座は、中間縦桟の両端部にボルト孔を設けてなり、中間縦桟上に便器を載置し、便器の底に穴を設け、その穴に中間縦桟のボルト孔に挿入したボルトの先端を前記便器の底の穴に挿入し、便器の移動を阻止することを可能としたことを特徴とする請求項２に記載の災害用便器付きマンホール。
【請求項４】
中蓋の表面に凹部を設け、前記凹部に発光体を充填接着するか、または、前記凹部に蛍光塗料を塗布してなることを特徴とする請求項１乃至３のいずれかに記載の災害用便器付きマンホール。
【発明の詳細な説明】
【技術分野】
【０００１】  この発明は、マンホールの開口を災害時に用便に使用できる災害時用便器付きマンホールに関する。
【背景技術】
【０００２】  従来、特許第２９０８７８９号で非常時用便器付きマンホール蓋の発明が開示されている。
この発明は、次の構成である。すなわち、図１〜図４に示すとおり、マンホールの開口１の蓋本体２に上下に貫通した用便口３を設け、用便口３には取り外し可能な中蓋４を取り付けて閉塞状態とする。そして、中蓋４の下側に重ねる位置に、開閉蓋５を着脱自在に配設する。
災害時に便器として使用する場合には、中蓋４を取り外し、開閉蓋５を中蓋４の下側から取り外して、その一端を用弁口３の開口縁の溝に入れて回動可能とし、回動して用便口３を開閉する。用便は用便口３を跨いでしゃがんでする。
用便の姿を外部から見られないように、マンホール開口１を囲む覆い体６を取り付け可能とする。覆い体６は、カバー７とそれを支える枠組８とよりなる。枠組８は組立分解可能とする。カバー７には、ファスナー９、ホック等で開閉できる出入り口を設ける。
【特許文献１】  特許第２９０８７８９号公報（０００８〜００１４、図１、図３、図４、図６）
【発明の開示】
【発明が解決しようとする課題】
【０００３】  従来の非常時用便器付きマンホール蓋では、通常時には、開閉蓋５を中蓋４の下側に取り付けておき、災害時には、開閉蓋５を外して、その一端を用便口３の開口縁の溝に入れて回動可能としなければならない。
用便には、用便口３を跨いでしゃがまなければならず、足が疲れたり、窮屈である。
覆い体６は、通常時には、カバー体７および枠組８を分解して保管する必要があり、その保管のための収納庫が必要である。
災害時には、マンホールの附近の電灯が消えると、マンホールの所在が判らなくなる。【０００４】  この発明は、開閉蓋を必要とせず、便器を取り付けて、その便座に座って用便でき、通常時には、カバー、枠部材、開閉道具やトイレットペーバー等を袋に入れてマンホール内に吊るして収納し、災害時には取り出して使用でき、特別な収納庫を必要とせず、また、災害時に周囲が暗くなってもマンホールの所在が判る、災害時用便器付きマンホールを提供することを目的とする。
【課題を解決するための手段】
【０００５】  中央部に用便用開口を設け、その開口を中蓋で着脱自在に閉じてなる、マンホールの枠に着脱自在に取り付けてなる蓋本体と、
上下に排便用の貫通孔を有し、上縁に便座を取り付け、前記便座と貫通孔の上方開口を覆う蓋を回動自在に取り付けてなり、災害時に、前記中蓋を取り外し、前記用便用開口を覆って前記蓋本体に載置し着脱自在に固定してなる便器と、
前記蓋本体に載置した便器を覆い、分解可能な枠組で支持され、人が出入りでき、折り畳み可能な覆い体と、
前記便器、前記折り畳んだ覆い体、前記分解した枠組の部材、前記蓋本体や中蓋の取り付け・取り外しの道具、用便用の物品を収納し、前記マンホールの枠の開口内縁に設けた突片に係止してつり下げ可能な袋と、
を備えて、災害用便器付きマンホールとする。【０００６】  また、中央部に用便用開口を設け、その開口を中蓋で着脱自在に閉じてなる、マンホールの枠に着脱自在に取り付けてなる蓋本体と、
上下に排便用の貫通孔を有し、上縁に便座を取り付け、前記便座と貫通孔の上方開口を覆う蓋を回動自在に取り付けてなり、災害時に、前記中蓋を取り外し、前記蓋本体に設けた取り付け座に載置して前記用便用開口を覆って着脱自在に固定してなる便器と、
前記蓋本体に載置した便器を覆い、分解可能な枠組で支持され、人が出入りでき、折り畳み可能な覆い体と、
前記便器、前記折り畳んだ覆い体、前記分解した枠組の部材、前記蓋本体や中蓋の取り付け・取り外しの道具、用便用の物品を収納し、前記マンホールの枠の開口内縁に設けた突片に係止してつり下げ可能な袋と、
を備えて、災害用便器付きマンホールとする。【０００７】  分解可能な枠組は、管体または棒体により、４角に形成された外枠と、その外枠の対向する２辺の管体または棒体に直角に、かつ、平行に設けた管体または棒体よりなる中間横桟に、直角に、かつ、平行に設けた管体または棒体よりなる中間縦桟を設けてなり、蓋本体に設けた取り付け座は、中間縦桟の両端部にボルト孔を設けてなり、中間縦桟上に便器を載置し、便器の底に設けた穴に中間縦桟のボルト孔に挿入したボルトの先端を前記便器の底に設けた穴に挿入し、便器の移動を阻止することを可能とする。【０００８】  中蓋の表面に凹部を設け、前記凹部に発光体を充填接着するか、または、前記凹部に蛍光塗料を塗布する。
【発明の効果】
【０００９】  この発明に係る災害時用便器付きマンホールは、用便口を開閉する開閉蓋を必要とせず、便器を取り付けて、その便座に座って用便でき、足や腰をいためることがない。前記便器の蓋が、用便口を開閉する開閉蓋の代わりとなる。通常時に、覆い体（カバー）、枠部材、開閉道具やトイレットペーバーを収納するための収納庫を必要とせず、それらを袋に入れてマンホール内に吊るして保管でき、災害ときには、袋を取り出して、袋内部の部材や物品を取り出し、部材を組立て、道具、物品を使用できる。
災害時にマンホールの周囲の照明が消えても、マンホールの中蓋の表面の凹部に取り付けた発光体や塗布した蛍光塗料により、マンホールの所在が確認できる。容易に災害時のマンホールに組立することができる。
【発明を実施するための最良の形態】
【００１０】  以下図面により説明する。
図５において、１１はマンホールの枠であり、１２は蓋本体である。蓋本体１２には、用便用開口１３が上下に貫通しており、用便用開口１３の開口を中蓋１４が覆っている。
用便用開口１３の開口の形状は限定しないが、矩形または楕円形が好ましい。その開口の４隅の角には、図６（Ａ）に示すように、棚１５が設けられ、中蓋１４を支持する。棚１５は開口周縁全体に設けてもよい。
中蓋１４は、表面中央部１６には災害用トイレと表示し、蓋本体１２の表面と同一の高さと同じ高さであり、その周囲は凹部１７を形成する。中蓋１４の４隅は用便用開口１３の４隅の棚１５の上方に位置し、凹部１７よりも高い隅部１８を形成し、棚１５にはボルト孔１９を貫通させ、そのボルト孔１９に対向（連続）して隅部１８に下方から上方に向けてボルト孔２０を設ける。ボルト孔２０は貫通しない。隅部１８の下面に座金５１を当接し、部１３に示すように、ボルト孔１９とボルト孔２０にボルト２１を螺入して、中蓋１４を蓋本体１２に着脱自在に固定する。
図１３にその固定状態を示す。図中５２はナットである。【００１１】  図５（Ａ）および図６（Ａ）の２２は凹部であり、２３は凹部２２を横切り、凹部２２の底面と間隔を置いた桟である。これは、蓋本体２の開閉の際に、棒体の先端にフックを設けた開閉具のフックを桟２３の下方に入れ、蓋本体２を持ち上げるためのものものである。この凹部２２と桟２３を２か所に設けている。【００１２】  図５（Ａ）および図６（Ａ）の２４は、蓋本体１２をマンホールの枠１１に着脱自在に固定しているボルトである。
後述のマンホールの枠１１の開口縁に、ボルト孔（螺孔）を設けた突片４９を設け、蓋本体１２の周縁部のでマンホールの枠１１の開口縁の突片４９に対向する位置にボルト２４のための貫通孔（螺孔）を設け、蓋本体１２の表面のぼると穴からボルト２４を螺入して、蓋本体１１をマンホールの枠１２に着脱自在に固定する。
図１２はその固定の状態を示す。【００１３】  災害時には、蓋本体１２のボルト２４を抜いて、蓋本体１２をマンホールの枠１１から外し、ボルト２１を抜いて、中蓋１４を蓋本体１２から外した後、蓋本体１２をマンホールの枠１１に載置して、ボルト２４で再び蓋本体１２をマンホールの枠１１に固定し、蓋本体１２の用便用開口１３を覆って便器２５を載置し固定する。図７の（Ａ）はその状態の平面部であり、（Ｂ）側面断面図である。
便器２５は、通常家庭で病人や老人が使用している移動可能の便器で、底の無い構造のものである。すなわち、便器２５は、筒状の本体２６で、上方の開口２７と、下方の開口２８を有し、本体２６の上縁に環状の便座２９を配設し、本体２６の上方を覆い、一方の縁部を軸として回動可能な蓋３０を設けている。【００１４】  便器２５には、下縁に外方へ突出するフランジ部３１を設け、係止部材でフランジ部３１を蓋本体１２に係止することで、便器２５を蓋本体１２に着脱自在に固定する。
係止部材は、ボルト（図示省略）を用いフランジ部３１とそれに対向する下方の蓋本体１２の位置にボルト孔（図示省略）を設け、ボルトを螺入して、便器２５を蓋本体１２に固定する。【００１５】  便器２５を蓋本体１２に固定する方法は上記以外に、フランジ部３１を棒体で押さえ、棒体の両端を蓋本体１２にボルト等で固定してもよい。
また、便器２５の下端に水平の孔を設け、その孔に棒体の先端部を挿入し、他端部をボルト等で蓋本体１２に固定することにより、便器２５を蓋本体１２に着脱自在に固定してもよい。【００１６】  便器２５の使用は、蓋３０を回動して上げ、便座２９に座って用便する。用便後は蓋３０を回動させて閉じる。【００１７】  図８および図９は、災害時ではない通常時に、便器２５やその係止部材、蓋本体１１や中蓋１４の開閉道具、懐中電灯、薬、トイレットペーパー、後述の覆い体３６、分割した取り付け金具等を袋３２に入れ、マンホールの枠１１の開口縁部に設けたフック３３に袋３２を吊るしてマンホール内に収納した状態を示す。
フック３３は、図５（Ｂ）に示すように、マンホールの枠１１の開口縁部で内方向に突出し、先端が上方向に曲がったものである。【００１８】  袋３２の肩部の四ケ所に紐３４を取り付け、紐３４の先端に合成樹脂製または金属製のリング３５を取り付けてあり、前記の各器具や部材、物品を袋３２内に収納して、リング３５をフック３３に掛けて吊るす。
袋３２は、合成樹脂シート製か、または防水加工した布製とする。
袋３２の開口縁は１ケ所に絞ってまとめ、紐等で閉じるか、または、袋３２の開口縁にファスナー等の係止具を設け、その係止具で開口を閉じる。【００１９】  マンホール枠１１のフック３３の代わりに、先端に孔を設けた突部とし、袋３２のリング３５の代わりに、紐３４にフックを取り付け、フックの先を突部の先端の孔に引っかけて、袋３２を吊るしてもよい。【００２０】  図１０は、覆い体３６の下部を取付け固定するための取付け金具３７の平面図である。取付け金具３７は、両端を直角に、同方向に曲げた２本の管体３８を、曲げ部３８ａの先端を対向させて平行に配置し、対向した曲げ部３８ａに、棒体３９の端部を挿入し、角型の枠組みを形成し、各管体３８の中間の２か所に、便器２５の横幅よりも広い幅の間隔を置いて孔４０を設け、２本の棒体４１の先端を孔４０に挿入して中間の横桟とする。
２本の棒体４１のそれぞれの中間に、同方向に直角に突出する突片４２を設け、２本の棒体４１の突片４２を対向させる。
便器２５の底面に、横方向に、棒体４１の２つの突片４２の間隔と同じ間隔で、２条の溝を設け、２本の連結棒４３を溝に嵌め、それら連結棒４３の先端をボルトで突片４２に着脱自在に係止する。【００２１】  管体３８の本体と曲げ部３８ａで出来た直角の位置に、４５度に割って短い管体４４を取り付け、管体４４の基部の孔に棒体４５または管体を挿入し、その先端を引き出し可能にする。【００２２】  ２本の連結棒４８は、枠組補強のための中間縦桟を形成する。
便器２５の底面に２本の溝を設けないで、連結棒４８を便器２５を載置取り付けのための取り付け座としてもよい。【００２３】  すなわち、中間横桟４１に設けた突片４２のそれぞれに２つのボルト孔を設け、中間横桟４１に近い方のボルト孔は、蓋本体１２を枠１１に固形するためのボルト２４の挿入用とし、突片４２の先端側のボルト孔は、便器２５の底面の穴に先端を挿入するボルト孔とする。
各連結棒４８の先端部にも２つのボルト孔を設け、その最も先端のボルト孔は、突片４２の中間横桟４１に近いボルト孔と対応させ、その突片４２のボルト孔をマンホールの枠１１の突片４９のボルト孔に対応させ、それら対応するボルト孔に、連結棒４８側からボルト２４を挿入して、連結棒４８、突片４２、突片４９を固定してもよい。【００２４】  そして、２本の連結棒４８に便器２５を載置したときに、突片４２の先端側のボルト孔に対応する連結棒４８のボルト孔に対応して、便器２５の底に穴（凹部）を設け、突片４２の先端側のボルト孔から、それに対応する連結棒４８のボルト孔および便器２５の底の穴にボルトを挿入し、連結棒に載置した便器２５の移動を防止する。【００２５】  ２本の中間縦桟４２の間隔の中心線ｘは、枠組みの中間縦桟４２に平行の外枠３８、３８の間隔の中心線ｙよりも少々ずらすことにより、２本の連結棒４８に載置した便器２５の先端とそれに対向すに外枠３８との間隔が幾分広くなり、便器２５に座り易く、用便後に立ち上がり易く、好ましい。【００２６】  覆い体３６は、合成樹脂シートまたは防水加工した布４６の周縁に、曲げ可能な金属線または合成樹脂線を包み、その４枚側縁を順次係止して筒状とし、４枚の布の上部に天井用の布を取り付ける。
前記４枚の布の４６の各係止側縁の下端で、２つの布の下端に跨がって布片４７を取り付け、布片４７に紐４８を取り付ける。
取り付け金具の棒体４５の先端を管体４４から引き出し、紐４８を管体４４に結び、布４６の下部を固定することにより覆い体３６を固定する。
布４６の１枚には、切り線を入れて、人が出入りできる開口とし、ファスナー４６ａ等の係止具で切り目を閉じて開口を閉じることを可能とする。【００２７】  覆い体３６の取り付け金具の管体３８、棒体３９、４１は、伸縮できる構造または、複数に分解できる構造とすれば、収納し易くて好ましい。【００２８】  前記の布４６で構成する覆い体３６の代わりに、合成樹脂シートで下方が開口した袋状の覆い体を形成し、図３に示す従来例の枠組み８を用いて覆い体を支持してもよい。【００２９】  災害時に、停電し、夜暗くなった場合に、災害用便器付きマンホールの所在が判明できるように、中蓋１４の凹部１７に、発光体５０を充填する。
発光体５０は、その材料は限定しないが、蓄光剤入りのガラス骨材を合成樹脂で練ったものを、凹部１７に充填乾燥接着するのが好ましい。
なお、発光体５０は、合成樹脂に蛍光塗料粉末を混合してなる樹脂体であってもよい。
更に、凹部１７には発光体を充填しないで、凹部１７の底に蛍光塗料を塗布してもよい。この場合には、凹部１７の底を浅くするのが好ましい。
【図面の簡単な説明】
【００３０】
【図１】  従来例のマンホールの断面図である。
【図２】  従来例の中蓋を外して開閉蓋を蓋本体に取り付け回動した状態の要部断面図である。
【図３】  従来例の非常時用便器付きマンホール蓋の斜視図である。
【図４】  従来例のマンホール蓋と覆い体の枠体の組み合わせ状態を示す平面図である。
【図５】  本願発明のマンホールの（Ａ）は平面図、（Ｂ）はＡ−Ａ断面図、（Ｃ）はＢ−Ｂ断面図である。
【図６】  本願発明の中蓋を取り除いたマンホールの（Ａ）は平面図、（Ｂ）はＡ−Ａ断面図、（Ｃ）はＢ−Ｂ断面図である。
【図７】  （Ａ）は本願発明の中蓋を取り除いたマンホールに便器を載置した状態の平面図で、（Ｂ）はＡ−Ａ断面図である。
【図８】  本願発明のマンホール内に袋を吊るした状態の平面図である。
【図９】  本願発明のマンホール内に袋を吊るした状態を示す要部断面図である。
【図１０】  本願発明の覆い体取り付け用の金具枠の平面図である。
【図１１】  本願発明のマンホールに便器を載置し、覆い体で覆った状態を示す説明図である。
【図１２】  本願発明のマンホールの枠に蓋本体をボルトで固定した状態を示す要部断面図である。
【図１３】  本願発明のマンホールの蓋本体に中蓋をボルトで固定した状態を示す要部断面図である。
【図１４】  本願発明の覆い体の他の実施例で、（Ａ）はその側面図、（Ｂ）は覆い体を２つに畳んだ状態の説明図、（Ｃ）は更に１つに畳んだ状態の説明図である。
【図１５】  本願発明の覆い体で１つ畳んだものを更に折り曲げた状態の説明図、（Ｂ）は更に円盤状に畳むための説明図、（Ｃ）は円盤状に畳むだ説明図である。
【符号の説明】
【００３１】１    マンホールの開口
２    蓋本体
３    用便口
４    中蓋
５    開閉蓋
６    覆い体
７    カバー
８    枠組
１１  マンホールの枠
１２  蓋本体
１３  用便用開口
１４  中蓋
１７  凹部
２５  便器
３１  フランジ部
３２  袋
３３  フック
３４  紐
３５  リング
３６  覆い体
３７  取り付け金具
４６  布泡樹脂板
４７  布
４８  紐
４９  突片
５０  発光体
【図１】
2008223450.tif 000003
【図２】
2008223450.tif 000004
【図３】
2008223450.tif 000005
【図４】
2008223450.tif 000006
【図５】
2008223450.tif 000007
【図６】
2008223450.tif 000008
【図７】
2008223450.tif 000009
【図８】
2008223450.tif 000010
【図９】
2008223450.tif 000011
【図１０】
2008223450.tif 000012
【図１１】
2008223450.tif 000013
【図１２】
2008223450.tif 000014
【図１３】
2008223450.tif 000015
【図１４】
2008223450.tif 000016
【図１５】
2008223450.tif 000017